(57)【要約】【課題】  コンパクトでしかも製造が容易なコンテナバックの残留物除去装置を提供する。【解決手段】  上部水平部６ａに吊り下げ具１２によって支持体８を吊り下げ、その下部に一体に形成した円筒状部１０の周囲に形成したハンガー１４に、コンテナバック１６の紐１７を吊り下げる。支持体８の上側に設けた振動モータ１８を動作させることによって、支持体８を上下に振動させ、コンテナバック１６内の残留物を落下させる。【選択図】        図１
2008229441.tif 000002
【特許請求の範囲】
【請求項１】
吊り下げられた支持体と、
この支持体の周囲に、下部に開口を有するコンテナバックを吊り下げるように設けられたハンガーと、
前記支持体に設けられた振動源とを、
具備するコンテナバックの残留物除去装置。
【請求項２】
請求項１記載のコンテナバックの残留物除去装置において、
前記コンテナバックは、上部に開口を有し、この上部開口の周囲が前記ハンガーに吊り下げられ、
前記支持体は、その下部に前記コンテナバックの開口内に侵入する筒体を有するコンテナバックの残留物除去装置。
【発明の詳細な説明】
【技術分野】
【０００１】
本発明は、粉粒体等の移送に使用するコンテナバック内に付着した残留物を除去する装置に関し、特に乾式清掃によって除去するものに関する。
【背景技術】
【０００２】
従来、上記の乾式清掃によるコンテナバックの残留物除去装置としては、例えば特許文献１に開示されているようなものがある。この除去装置では、コンテナバックの上部開口をハンガーに吊り下げ、送風機によってコンテナバックの上部開口から空気を送り込んで、コンテナバックを膨らませ、コンテナバックの外部に設けた叩き手段によってコンテナバックの外面を叩き、コンテナバックの下部開口から出た残留物を吸引手段によって吸引する。
【０００３】
【特許文献１】特許第２５４５０４０号公報
【発明の開示】
【発明が解決しようとする課題】
【０００４】
しかし、この除去装置では、コンテナバックを吊り下げるハンガーの他に、送風機、吸引手段及び叩き手段を設ける必要があり、しかも、これらの設置場所がコンテナバックの上部開口付近、下部開口付近、コンテナバックの外面とそれぞれ異なった位置に設けなければならず、製造が面倒であるし、その規模も大型になる。さらに、送風機により残留物である残留粉塵が舞い上がり、作業環境が悪化する。
【０００５】
本発明は、作業環境を悪化させず、コンパクトでしかも製造が容易なコンテナバックの残留物除去装置を提供することを目的とする。
【課題を解決するための手段】
【０００６】
本発明の一態様のコンテナバックの残留物除去装置では、支持体が、例えば基部に吊り下げられている。この支持体の周囲にハンガーが設けられ、これによってコンテナバックが吊り下げられる。コンテナバックは、その内部に残留物が付着しているもので、下部に開口を有するものである。支持体に振動源が設けられている。振動源は、支持体に振動、例えば上下方向の振動を与える。
【０００７】
このように構成されたコンテナバックの残留物除去装置では、吊り下げられたコンテナバックに振動が伝わるので、コンテナバックが揺れて、内部に付着している残留物が落下し、下部の開口からコンテナバックの外部に取り出される。この構成では、コンテナバックを吊り下げるための支持体に、振動源が設けられており、コンパクトな構成であり、その製造も容易であるし、送風機を使用していないので、残留物が舞い上がることがなく、作業環境も良好である。なお、コンテナバックの下部開口から落下した残留物は、吸引手段によって吸引することもできる。
【０００８】
コンテナバックには、上部に開口を有し、この上部開口の周囲が前記ハンガーに吊り下げられるものを使用することができる。この場合、支持体の下部に、コンテナバックの開口内に侵入する筒体が設けられている。このように構成すると、コンテナバックの上部開口を筒体によって開いた状態で振動をコンテナバックに与えることができ、その際にコンテナバックが或る程度膨らんだ状態で、振動が与えられるので、コンテナバックの内部から残留物を確実に除去することができる。
【発明の効果】
【０００９】
以上のように、本発明によれば、作業環境が悪化せず、コンパクトで製造が容易なコンテナバックの残留物除去装置を得ることができる。
【発明を実施するための最良の形態】
【００１０】
本発明の１実施形態のコンテナバック残留物除去装置は、図１及び図２に示すように、フレーム２を有している。このフレーム２は、水平部２ａと、その両側にある２つの垂直柱状部２ｂ、２ｂとからなる。水平部２ａは、水平に配置された板状のもので、垂直柱状部２ｂ、２ｂは、内側が開口したＵ字状の柱状体で、水平部２ａの両側に位置している。水平部２ａの中央に吊り下げブロック４が吊り下げられている。この吊り下げブロック４に、枠状体６がフック５によって吊り下げられている。この枠状体６は、上部水平部６ａと、これと平行に間隔を隔て位置する下部水平部６ｂと、これら上部水平部６ａと下部水平部６ｂの両端をそれぞれ繋ぐ垂直脚部６ｃ、６ｄとからなる。上部水平部６ａは、図２に示すように前方に突出している平板状のものであり、下部水平部６ｂは、両垂直脚部２ｂ、２ｂ間に位置する柱状のものである。垂直脚部６ｃ、６ｄは、垂直柱状部２ｂ、２ｂ内に位置している。
【００１１】
上部水平部６ａの下方に支持体８が配置されている。支持体８は、水平に配置された板状体で、その下面に筒体、例えば円筒状部１０が一体に形成されている。支持体８は、そのほぼ４隅を上部水平部６ａに、吊り下げ具１２によって吊り下げられている。
【００１２】
円筒状部１０の外周面には、一定間隔でハンガー１４が取り付けられている。これらハンガー１４は、コンテナバック１６の上部開口の周囲に、その開口を閉じるために設けられている紐１７に係合して、コンテナバック１６を吊り下げるためのものである。このようにコンテナバック１６をハンガー１４で吊り下げた状態において、円筒状部１０の下部がコンテナバック１０の上部開口内に侵入し、コンテナバック１６の上部開口を開いている。なお、コンテナバック１６の下部にも、図示していないが下部開口がある。
【００１３】
支持体８の上面中央には、振動手段、例えば振動モータ１８が取り付けられている。振動モータ１８が動作することによって、支持体８及び円筒状部１０が上下に振動する。上述した吊り下げ具１２は、この支持体８等の振動が上部水平部６ａ等に伝達されにくくするように防振構造とされている。
【００１４】
振動モータ１８の作動によって支持体８等が振動している時に、コンテナバック１６や支持体８等の横揺れを防止するために、上部水平部６ａには、固定車２０、２０が設けられている。これら固定車２０、２０は、Ｌ字状の取付具２２、２２に取り付けられ、垂直柱状部２ｂ、２ｂの内面に接触している。同様に、下部水平部６ｂにも固定車２４、２４が取り付けられている。固定車２４、２４は、Ｌ字状の取付具２６、２６に取り付けられている。但し、垂直脚部６ｂ、６ｂに形成した貫通孔を通して垂直柱状部２ｂ、２ｂの内面に接触している。
【００１５】
この他に、図示していないが、この残留物除去装置には、上部水平部６ａより下部の機構が落下するのを防止するための落下防止装置も取り付けられている。
【００１６】
このように構成されたコンテナバックの残留物除去装置では、内部を清掃する必要のあるコンテナバック１６が、図１及び図２に示すようにハンガー１４を用いて、この除去装置に吊り下げられる。この状態で、振動モータ１８を動作させると、支持体８、円筒状部１０が上下に振動し、コンテナバック１６も上下に振動する。この振動によって、コンテナバック１６の内面に付着していた残留物が落下し、コンテナバック１６の下部開口から外部に排出される。従って、乾式でコンテナバック１６内の残留物を除去することができる。振動がコンテナバック１６等に与えられている際、各固定車２０、２０、２４、２４が垂直部２ｂ、２ｂに接触しているので、コンテナバック１６等が左右に揺れることがない。
【００１７】
また、コンテナバック１６を吊り下げるためのハンガー１７は、支持体８の下側に一体に形成した円筒状部１０に設けられ、支持体８の上面側に振動モータ１８が設けられているので、支持体８を吊り下げ具１２によって上部水平部６ａに吊り下げるだけで、取付が完了する。しかも、上部水平部６ａを有する枠状体６も吊りブロック４に吊り下げるだけで取り付けることができ、設置工事が非常に容易に行える。しかも、主たる構成も、支持体８を中心としてまとまっているので、全体としてコンパクトである。さらに、送風機を使用していないので、残留物が舞い上がることがない。また、円筒状部１０がコンテナバック１６の上部開口からその内部に侵入して、開口を開いているので、振動をコンテナバックに与える際、コンテナバック１６が或る程度膨らんだ状態となり、残留物の落下が容易に行われる。
【００１８】
上記の実施形態では、支持体８の下部に一体に円筒状部１０を設け、円筒状部１０にハンガー１４を設けたが、円筒状部１０を除去し、ハンガー１４を支持体８の周縁部に設けることも可能である。振動モータ１８によって上下方向に振動を与えたが、これに加えて或いはこれに代えて前後、左右に振動を加えることもできる。また、コンテナバックの下部開口に吸引機を設け、落下した残留物を吸引機によって吸引することも可能である。また、上記の実施の形態では、コンテナバック１６は、当初からハンガー１４に吊り下げられている状態としたが、例えば適当な搬送手段によって搬送された後に、ハンガー１４に吊り下げるようにすることも可能である。
【図面の簡単な説明】
【００１９】
【図１】本発明によるコンテナバック残留物除去装置の部分省略縦断正面図である。
【図２】図１のコンテナバック残留物除去装置の部分省略縦断側面図である。
【符号の説明】
【００２０】
８  支持体
１０  円筒状部（筒体）
１６  コンテナバック
１８  振動モータ（振動源）
【図１】
2008229441.tif 000003
【図２】
2008229441.tif 000004